(57)【要約】【課題】回動部材を組み込む際の作業効率を改善しつつ、ハウジングを薄型化すること。【解決手段】カードを装着可能なハウジングと、カードの挿入に伴って回動可能な回動部材とを備える。回動部材は、ハウジングに回動可能に支持される軸部４０２を有し、この軸部４０２は、断面が扁平形状を有する太軸部４０２１と、この太軸部４０２１における軸方向の端面の一部から外側に延出する細軸部４０２２とを備える。ハウジング２は、軸部４０２を収容可能な軸受け部２０６を有し、この軸受け部２０６は、太軸部４０２１の長径方向に沿って太軸部４０２１が挿入可能に設けられると共に、細軸部４０２２に対する受け面２０６２ｃ、ｄが設けられる。【選択図】図１０
2009187775.tif 000002
【特許請求の範囲】
【請求項１】
カードを装着可能なカード装着空間を有するハウジングと、前記カードの挿入に伴って回動可能な回動部材とを備え、
前記回動部材は、前記ハウジングに回動可能に支持される軸部を有し、当該軸部は、断面が扁平形状を有する第１軸部と、この第１軸部における軸方向の端面の一部から外側に延出する第２軸部とを備え、
前記ハウジングは、その一面に前記軸部を収容可能な軸受け部を有し、当該軸受け部は、前記第１軸部の長径方向に沿って当該第１軸部が挿入可能に設けられると共に、前記第２軸部に対する受け面が設けられることを特徴とするカード用コネクタ装置。
【請求項２】
前記第２軸部を、前記軸受け部に対する前記第１軸部の挿入方向の後方側の一部に設ける一方、前記受け面を、前記軸受け部に対する前記第１軸部の挿入方向の前方側に設けたことを特徴とする請求項１記載のカード用コネクタ装置。
【請求項３】
前記第１軸部の回動を支持する支持面を前記軸受け部に設けたことを特徴とする請求項１又は請求項２記載のカード用コネクタ装置。
【請求項４】
前記カードは、前記カード装着空間に選択的に挿着される第１カード又は第２カードからなり、前記第１カードの接触部に接触する第１コンタクト端子と、前記第２カードの接触部に接触する第２コンタクト端子とを備え、前記回動部材は、前記第１コンタクト端子と当接して前記第２カードの挿入により前記第１コンタクト端子を前記第２カードの接触部と接触しないように押圧する押圧機構を構成することを特徴とする請求項１から請求項３のいずれかに記載のカード用コネクタ装置。
【請求項５】
前記回動部材は、前記カード装着空間に対するカード挿入のための開口部近傍に配置されるシャッタ機構を構成することを特徴とする請求項１から請求項３のいずれかに記載のカード用コネクタ装置。
【発明の詳細な説明】
【技術分野】
【０００１】
本発明は、カード用コネクタ装置に関し、特に、カードの装着に伴って回動する回動部材が設けられているカード用コネクタ装置に関する。
【背景技術】
【０００２】
従来、装置内に設けられたコンタクト端子と、カード挿入口から挿入されるカードとの接触を防止するための回動部材を備えるカード用コネクタ装置が知られている。例えば、特許文献１記載のカード用コネクタ装置においては、回動部材が有する一方の支軸の長さを、他方の支軸の長さよりも長く形成し、長い方の軸から軸受け部に差し込むことでガイド部材を装置に組み込んでいる。
【０００３】
また、ハウジングに対して開閉可能に取り付けられるカバー部材を備えるカード用コネクタ装置が知られている。特許文献２記載のカード用コネクタ装置においては、カバー部材の支軸を扁平形状とし、ハウジングに設けられた嵌合溝に対して一方方向（ハウジングの下方側）から取り付けることができるように構成されている。
【特許文献１】特開２００４−６２７１５号公報
【特許文献２】特開２００７−２７０１６号公報
【発明の開示】
【発明が解決しようとする課題】
【０００４】
例えば、特許文献２記載のカバー部材の支軸の形状を、特許文献１記載の回動部材の支軸に適用することで、一方方向からの回動部材の取付けを可能とし、回動部材を取り付ける際の作業効率を改善することが考えられる。しかしながら、このような回動部材の支軸の形状を採用する場合には、取り付ける際の一方方向に沿ったハウジングにおける薄型化を実現することができないという問題がある。
【０００５】
本発明はかかる問題点に鑑みて為されたものであり、回動部材を取り付ける際の作業効率を改善しつつ、ハウジングを薄型化することができるカード用コネクタ装置を提供することを目的とする。
【課題を解決するための手段】
【０００６】
本発明のカード用コネクタ装置は、カードを装着可能なカード装着空間を有するハウジングと、前記カードの挿入に伴って回動可能な回動部材とを備え、前記回動部材は、前記ハウジングに回動可能に支持される軸部を有し、当該軸部は、断面が扁平形状を有する第１軸部と、この第１軸部における軸方向の端面の一部から外側に延出する第２軸部とを備え、前記ハウジングは、その一面に前記軸部を収容可能な軸受け部を有し、当該軸受け部は、前記第１軸部の長径方向に沿って当該第１軸部が挿入可能に設けられると共に、前記第２軸部に対する受け面が設けられることを特徴とする。
【０００７】
上記カード用コネクタ装置によれば、その長径方向に沿って第１軸部が挿入可能な軸受け部をハウジングの一面に設けたことから、このハウジングの一面に対して一方方向から軸部を取り付けることができるので、回動部材を取り付ける際の作業効率を改善することができる。また、第１軸部ではなく、この第１軸部よりも細く設けられた第２軸部を受ける受け面を軸受け部に設けたことから、第１軸部を受ける部材を設けるスペースが必要なくなるので、ハウジングを薄型化することが可能となる。
【０００８】
上記カード用コネクタ装置においては、前記第２軸部を、前記軸受け部に対する前記第１軸部の挿入方向の後方側の一部に設ける一方、前記受け面を、前記軸受け部に対する前記第１軸部の挿入方向の前方側に設けることが好ましい。このように第２軸部を、第１軸部の挿入方向の後方側の一部に設ける一方、受け面を第１軸部の挿入方向の前方側に設けることにより、限られた空間を有効に活用してよりハウジングを薄型化することが可能となる。
【０００９】
また、上記カード用コネクタ装置においては、前記第１軸部の回動を支持する支持面を前記軸受け部に設けることが好ましい。この場合には、軸受け部に設けた支持面で第１軸部の回動を支持することができるので、第１軸部をスムーズに回動させることが可能となる。
【００１０】
例えば、上記カード用コネクタ装置において、前記カードは、前記カード装着空間に選択的に挿着される第１カード又は第２カードからなり、前記第１カードの接触部に接触する第１コンタクト端子と、前記第２カードの接触部に接触する第２コンタクト端子とを備え、前記回動部材は、前記第２コンタクト端子と当接して前記第１カードの挿入により前記第２コンタクト端子を前記第１カードの接触部と接触しないように押圧する押圧機構を構成する。この場合には、コンタクト端子と異なるカードの接触部とが接触することによる電気的な破損を防止する押圧機構の一部を構成する回動部材を簡単にハウジングに取り付けることが可能となる。
【００１１】
また、上記カード用コネクタ装置において、前記回動部材は、前記カード装着空間に対するカード挿入のための開口部近傍に配置されるシャッタ機構を構成する。この場合には、カード装着空間への異物等の侵入や、異なるカードの誤挿入を防止するシャッタ機構の一部を構成する回動部材を簡単にハウジングに取り付けることが可能となる。
【発明の効果】
【００１２】
本発明によれば、その長径方向に沿って第１軸部が挿入可能な軸受け部をハウジングの一面に設けたことから、このハウジングの一面に対して一方方向から軸部を取り付けることができるので、回動部材を取り付ける際の作業効率を改善することができる。また、第１軸部ではなく、この第１軸部よりも細く設けられた第２軸部を受ける受け面を軸受け部に設けたことから、第１軸部を受ける部材を設けるスペースが必要なくなるので、ハウジングを薄型化することが可能となる。
【発明を実施するための最良の形態】
【００１３】
以下、本発明の一実施の形態について添付図面を参照して詳細に説明する。図１は、本発明の一実施の形態に係るカード用コネクタ装置（以下、単に「コネクタ」という）１の構成を説明するための斜視図である。図２は、図１に示す状態のコネクタ１の上面図である。本実施の形態に係るコネクタ１は、図１及び図２に示すハウジング２にカバー部材が取り付けられて構成されるものであるが、そのカバー部材については省略している。以下においては、適宜、コネクタ１における図１に示す紙面上方側を「コネクタ１の前方側」又は単に「前方側」と呼び、同図に示す紙面下方側を「コネクタ１の後方側」又は単に「後方側」と呼ぶものとする。
【００１４】
図１及び図２に示すように、本実施の形態に係るコネクタ１は、合成樹脂材料などの絶縁材料を成形して形成されるハウジング２と、金属薄板材料に打ち抜き加工及び折り曲げ加工などを施して形成される不図示のカバー部材とを備えている。ハウジング２は、概して偏平な直方体形状を有しており、その上方側及び前方側に開口した空間を有している。カバー部材は、ハウジング２の上方側の開口部の一部に対応する形状を有し、当該開口部に被せるようにしてハウジング２に取り付けられる。このカバー部材が取り付けられた状態において、コネクタ１の後方側端部には、カードが挿入されるカード挿入口３が形成される。
【００１５】
ハウジング２は、コネクタ１の底面部を構成するベース部２０１と、このベース部２０１の側端部から上方側に垂直に立設された側壁部２０２ａ、ｂと、ベース部２０１の前端部から上方側に垂直に立設された奥壁部２０３とを有している。コネクタ１においては、これらのベース部２０１と、側壁部２０２ａ、ｂと、奥壁部２０３と、不図示のカバー部材との間にカードの装着空間（以下、適宜「カード装着空間」という）が形成される。
【００１６】
本実施の形態に係るコネクタ１は、このカード装着空間に２種類の第１、第２カードを装着可能に構成されている。ベース部２０１には、コネクタ１の前後方向に並べて第１カード用のコンタクト端子（以下、「第１カード用コンタクト端子」という）２０４と、第２カード用のコンタクト端子（以下、「第２カード用コンタクト端子」という）２０５とが設けられている。これらは、ベース部２０１に形成された開口部の内側の端面に設けられている。第１、第２カード用コンタクト端子２０４、２０５は、いずれも細長い薄板金属で形成され、コネクタ１の左右方向に並べて設けられている。
【００１７】
第１カード用コンタクト端子２０４においては、その基端部がベース部２０１における奥壁部２０３近傍の端面に設けられ、その先端部がコネクタ１の後方側に延出している。第１カード用コンタクト端子２０４の先端部（後端部）は、上方側に持ち上げられ、その端部近傍で第１カードの接触パッド（接触部）に弾性的に接触するように構成されている。なお、第１カード用コンタクト端子２０４の前端部は、奥壁部２０３からコネクタ１の前方側に導出され、不図示の基板の導体に半田接続可能に構成されている。
【００１８】
一方、第２カード用コンタクト端子２０５においては、その基端部がベース部２０１におけるカード挿入口３近傍の端面に設けられ、その先端部がコネクタ１の前方側に延出している。第２カード用コンタクト端子２０５の先端部（前端部）は、上方側に持ち上げられ、その端部近傍で第２カードの接触パッド（接触部）に弾性的に接触するように構成されている。なお、第２カード用コンタクト端子２０５の後端部は、コネクタ１の後方側に導出され、不図示の基板の導体に半田接続可能に構成されている。
【００１９】
ベース部２０１の所定位置には、第１、第２カードの挿入に伴って回動する回動部材４、５が取り付けられている。回動部材４、５は、それぞれ第１、第２カード用コンタクト端子２０４、２０５の先端部近傍に配置されている。回動部材４、５は、その後端部近傍でベース部２０１に取り付けられ、それぞれ第１、第２カード用コンタクト端子２０４、２０５の弾性により、その前端部近傍を僅かに上方側に持ち上げた状態とされる。これらの回動部材４、５は、それぞれ第１、第２カードの挿入に伴って第１、第２カード用コンタクト端子２０４、２０５を押し下げ（押圧し）、異なるカードの接触パッドとの不要な接触による電気的な破損を防止したり、挿入されるカードの前端とコンタクト端子の先端が接触することによりコンタクト端子が座屈することを防止する役割を果たす。
【００２０】
回動部材４には、第１カード用コンタクト端子２０４の先端に対応する位置に複数の開口部４０１が形成されている。第１カード用コンタクト端子２０４は、これらの開口部４０１を介してその先端を上方側に露出可能となっている。同様に、回動部材５には、第２カード用コンタクト端子２０５の先端に対応する位置に複数の凹部５０１が形成されている。第２カード用コンタクト端子２０５は、これらの凹部５０１を介してその先端を上方側に露出可能となっている。
【００２１】
これらの回動部材４、５は、それぞれコネクタ１の左右方向に延出する軸部４０２、５０２を備え、この軸部４０２、５０２において、ベース部２０１に設けられた軸受け部２０６、２０７で回動可能に支持されている。なお、これらの軸部４０２、５０２は、同一の構成を採るため、以下においては、軸部４０２を用いてその構成を説明し、軸部５０２の説明を省略する。また、これらの軸受け部２０６、２０７は、同一の構成を採るため、以下においては、軸受け部２０６を用いてその構成を説明し、軸受け部２０７の説明を省略する。
【００２２】
図３は、コネクタ１が有する回動部材４の斜視図である。なお、図３においては、ハウジング２のベース部２０１に取り付けられた初期状態の回動部材４を抜き出して示している。回動部材４は、例えば、絶縁性の樹脂材料を成型して形成され、図３に示すように、コネクタ１の左右方向に延在する長尺体を構成している。回動部材４の後端部近傍には、コネクタ１に挿入された第１カードの前端部と当接する当接部４０３が設けられている。軸部４０２は、回動部材４の後端部の側面部に設けられている。
【００２３】
図４は、回動部材４に設けられた軸部４０２の構成を説明するための図である。図４（ａ）は、回動部材４に設けられた軸部４０２を拡大した斜視図であり、同図（ｂ）及び（ｃ）は、この軸部４０２の上面図及び側面図である。なお、図４（ｃ）においては、説明の便宜上、軸部４０２の前端部を上方側に配置する一方、その後端部を下方側に配置している。なお、図４においては、回動部材４の右方側に設けられた軸部４０２について示している。
【００２４】
図４（ａ）〜（ｃ）に示すように、軸部４０２は、回動部材４の側面部における後端部から側方側に延出して設けられた第１軸部としての太軸部４０２１と、この太軸部４０２１における前方側の一部から側方側に延出して設けられた第２軸部としての細軸部４０２２とから構成される。すなわち、軸部４０２においては、回動部材４の側面部から太軸部４０２１が側方側に延出して設けられ、この太軸部４０２１の側面部の一部から太軸部４０２１よりも細い細軸部４０２２が側方側に延出して設けられている。
【００２５】
太軸部４０２１は、一対の平行面部４０２１ａ、ｂと、この平行面部４０２１ａ、ｂの端部に設けられた一対の周面部４０２１ｃ、ｄとを有している。太軸部４０２１においては、平行面部４０２１ａ、ｂ間の長さＬ１よりも周面部４０２１ｃ、ｄ間の長さＬ２が長く構成されている（図４（ｃ）参照）。すなわち、太軸部４０２１は、平行面部４０２１ａ、ｂの延在方向を長径方向とする扁平形状を有している。
【００２６】
一方、細軸部４０２２も、一対の平行面部４０２２ａ、ｂと、この平行面部４０２２ａ、ｂの端部に設けられた一対の周面部４０２２ｃ、ｄとを有している。一対の平行面部４０２２ａ、ｂ及び周面部４０２２ｃは、それぞれ太軸部４０２１の一対の平行面部４０２１ａ、ｂ及び周面部４０２１ｃを延長して設けられている。すなわち、一対の平行面部４０２２ａ、ｂ及び周面部４０２２ｃは、それぞれ太軸部４０２１の平行面部４０２１ａ、ｂと同一面上に設けられ、周面部４０２２ｃは、太軸部４０２１の周面部４０２１ｃと同一面上に設けられている。
【００２７】
一対の平行面部４０２２ａ、ｂは、太軸部４０２１の平行面部４０２１ａ、ｂよりも短く構成されている。このため、周面部４０２２ｄは、太軸部４０２１の周面部４０２１ｄよりも周面部４０２２ｃ側の位置に配置されている。なお、周面部４０２２ｄは、太軸部４０２１の周面部４０２２ｄと比べて、より円形状に近い周面形状を有している。この周面部４０２２ｄは、後述する軸受け部２０６の受け面２０６２ｃ、ｄで受けられる部分を構成する。
【００２８】
次に、このような構成を有する軸部４０２を支持する軸受け部２０６の構成について説明する。図５及び図６は、ハウジング２のベース部２０１に設けられた軸受け部２０６の構成を説明するための図である。図５（ａ）、（ｂ）は、ベース部２０１に設けられた軸受け部２０６の斜視図である。図６（ａ）、（ｂ）は、ベース部２０１に設けられた軸受け部２０６の上面図、側面図である。なお、図５及び図６においては、コネクタ１の右方側に設けられた軸受け部２０６について示している。また、図５（ａ）においては、コネクタ１の後方側から示した軸受け部２０６について示し、同図（ｂ）においては、コネクタ１の前方側から示した軸受け部２０６について示している。
【００２９】
図５及び図６に示すように、軸受け部２０６は、ベース部２０１に設けられた凹部で構成されている。軸受け部２０６は、ベース部２０１の内側に設けられた太軸収容部２０６１と、この太軸収容部２０６１の外側（側方側）に設けられた細軸収容部２０６２とから構成される。太軸収容部２０６１は、軸部４０２の太軸部４０２１を収容する部分であり、細軸収容部２０６２は、軸部４０２の細軸部４０２２を収容する部分である。
【００３０】
太軸収容部２０６１を規定するベース部２０１の上端部近傍には、互いに相手側に向かって突出する一対の突出片２０６１ａ、ｂが設けられている。そして、これらの突出片２０６１ａ、ｂの下方側には、下方側に向けて次第に広がる支持面としての円弧形状面２０６１ｃ、ｄが設けられている。突出片２０６１ａ、ｂ間の長さＬ３（図６（ａ）参照）は、太軸部４０２１の平行面部４０２１ａ、ｂ間の長さＬ１より長く、周面部４０２１ｃ、ｄ間の長さＬ２よりも短く設定されている。本実施の形態に係るコネクタ１においては、周面部４０２１ｃ、ｄ間の長さＬ２に沿った方向を太軸部４０２１の長径方向としている。また、円弧形状面２０６１ｃ、ｄは、太軸収容部２０６１に収容された太軸部４０２１の回動を支持可能な形状に設けられている。なお、太軸収容部２０６１の下面は、存在せず、下方側に開口した状態となっている。
【００３１】
細軸収容部２０６２を規定するベース部２０１の下端部近傍には、円弧形状面２０６２ａ、ｂが設けられている。これらの円弧形状面２０６２ａ、ｂの下方側には、それぞれ軸部４０２の細軸部４０２２を受ける受け面２０６２ｃ、ｄが設けられている。受け面２０６２ｃ、ｄ間には、開口部２０６２ｅが設けられている。この開口部２０６２ｅの幅は、細軸部４０２２の平行面部４０２２ａ、ｂ間の長さ（Ｌ１）よりも狭く設定されており、細軸４０２２の脱落を防止可能に構成されている。なお、ここでは、受け面２０６２ｃ、ｄの間に開口部２０６２ｅを設けた場合について示しているが、必ずしも必要なものではない。
【００３２】
次に、上記構成を有するコネクタ１（ベース部２０１）に対して、回動部材４を取り付ける際の動作について説明する。図７〜図９は、コネクタ１に対して回動部材４を取り付ける際の動作を説明するための斜視図である。図７は、ベース部２０１に対して回動部材４を取り付ける前の状態を示している。図８は、回動部材４の軸部４０２をベース部２０１の軸受け部２０６に挿入した状態を示している。図９は、回動部材４をコネクタ１の前方側に回動させる過程の状態を示している。なお、ここでは、回動部材４をコネクタ１に取り付ける際の動作について説明するが、回動部材５についても同様の要領で取り付けられる。
【００３３】
回動部材４をコネクタ１に取り付ける際には、図７に示すように、軸部４０２を下方側に配置すると共に、回動部材４をベース部２０１に略直交する方向に延在させた状態（以下、適宜「回動部材４を立てた状態」という）で行う。このとき、回動部材４の軸部４０２は、図４（ｃ）に示すように、細軸部４０２２が太軸部４０２１における上方側の一部に配置された状態となっている。また、太軸部４０２１の平行面部４０２１ａ、ｂは、コネクタ１の前後方向に向けられた状態となっている。
【００３４】
図７に示す状態から、軸部４０２が軸受け部２０６に挿入されるように回動部材４を下方側に移動させていく。そして、図８に示すように、軸部４０２が軸受け部２０６に収容されたならば、今度は、図９に示すように、回動部材４の同図に示す上方部をコネクタ１の前方側に倒すように回動部材４を回動させる。このとき、回動部材４は、軸部４０２を回動支点としてコネクタ１の前方側に回動する。
【００３５】
第１カード用コンタクト端子２０４に接触する位置まで回動すると、回動部材４は、図１に示す状態となる。図１に示すように、回動部材４においては、コネクタ１の前方側の端部が僅かに上方側に持ち上げられた状態となっている。そして、回動部材４の開口部４０１からは、第１カード用コンタクト端子２０４の先端部を上方側に露出した状態とされている。このようにして回動部材４がコネクタ１に取り付けられることとなる。
【００３６】
ここで、このように回動部材４を取り付ける際における軸部４０２の動作について説明する。図１０〜図１３は、回動部材４を取り付ける際における軸部４０２の周辺の拡大図である。図１０、図１１、図１２及び図１３は、それぞれ図７、図８、図９及び図１における回動部材４の状態と対応している。なお、図１０〜図１３においては、回動部材４の右方側に設けられた軸部４０２について示している。
【００３７】
回動部材４をコネクタ１に取り付ける際、軸部４０２は、図１０に示すように、太軸部４０２１が軸受け部２０６の太軸収容部２０６１に対応する位置に配置されると共に、細軸部４０２２が細軸収容部２０６２に対応する位置に配置された状態とされる。また、太軸部４０２１の平行面部４０２１ａ、ｂが、それぞれ太軸収容部２０６１の突出片２０６１ａ、ｂ間に対応する位置に配置された状態とされる。
【００３８】
この状態で、軸部４０２は、回動部材４の下方移動に伴って下方側に移動する。この際、太軸部４０２１の平行面部４０２１ａ、ｂが、太軸収容部２０６１の突出片２０６１ａ、ｂ間を通過する。上述したように、突出片２０６１ａ、ｂ間の長さＬ３は、平行面部４０２１ａ、ｂ間の長さＬ１よりも長く設定されている。このため、このように回動部材４を立てた状態で挿入する場合、突出片２０６１ａ、ｂが軸部４０２の進入を阻害することはない。そして、軸部４０２は、図１１に示すように、細軸部４０２２の周面部４０２２ｄが軸受け部２０６の受け面２０６２ｃ、ｄに当接する位置まで移動する。
【００３９】
細軸部４０２２の周面部４０２２ｄが受け面２０６２ｃ、ｄに当接したならば、軸部４０２は、図１２に示すように、回動部材４の回動に伴って回動する。このとき、軸部４０２は、細軸部４０２２の周面部４０２２ｄで受け面２０６２ｃ、ｄと摺接しながら回動する。また、軸部４０２は、太軸部４０２１の周面部４０２１ｃ、ｄを、軸受け部２０６の円弧形状面２０６１ｃ、ｄの内面に支持された状態で回動する。このように太軸収容部２０６１に設けた円弧形状面２０６１ｃ、ｄで太軸部４０２１の回動を支持することができるので、太軸部４０２１をスムーズに回動させることが可能となる。
【００４０】
そして、回動部材４が第１カード用コンタクト端子２０４に到達するまで回動したとき、軸部４０２は、軸受け部２０６の内部において、図１３に示すように、太軸部４０２１の平行面部４０２１ａ、ｂがコネクタ１の上下方向に向けた状態とされる。上述したように、突出片２０６１ａ、ｂ間の長さＬ３は、周面部４０２１ｃ、ｄ間の長さＬ２よりも短く設定されている。このため、回動部材４の回動に伴い、軸部４０２が軸受け部２０６から上方側に抜け出てしまうのを防止可能となっている。
【００４１】
このように本実施の形態に係るコネクタ１においては、回動部材４に、ハウジング２に回動可能に支持される軸部４０２を設け、この軸部４０２に、断面が扁平形状を有する太軸部４０２１と、この太軸部４０２１における軸方向の端面の一部から外側に延出する細軸部４０２２とを備えている。一方、ハウジング２に、回動部材４の軸部４０２を収容可能な軸受け部２０６を設け、この軸受け部２０６は、太軸部４０２１の長径方向に沿って太軸部４０２１が挿入可能な太軸収容部２０６１と、細軸部４０２２に対する受け面２０６２ｃ、ｄが設けられた細軸収容部２０６２とを備えている。
【００４２】
本実施の形態に係るコネクタ１によれば、その長径方向に沿って太軸部４０２１が挿入可能な軸受け部２０６をハウジング２の一面に設けたことから、このハウジング２の一面に対して一方方向から軸部４０２を取り付けることができるので、回動部材４を取り付ける際の作業効率を改善することができる。また、太軸部４０２１ではなく、この太軸部４０２１よりも細く設けられた細軸部４０２２を受ける受け面２０６２ｃ、ｄを軸受け部２０６に設けたことから、太軸部４０２１を受ける部材を設けるスペースが必要なくなるので、ハウジング２を薄型化することが可能となる。
【００４３】
特に、本実施の形態に係るコネクタ１においては、太軸部４０２１を軸受け部２０６に対する挿入方向の後方側の一部に細軸部４０２２を設ける一方、受け面２０６２ｃ、ｄを軸受け部２０６に対する太軸部４０２１の挿入方向の前方側に設けている。このように細軸部４０２２を、太軸部４０２１の挿入方向の後方側の一部に設ける一方、受け面２０６２ｃ、ｄを太軸部４０２１の挿入方向の前方側に設けることにより、限られた空間を有効に活用してよりハウジング２を薄型化することが可能となる。
【００４４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４５】
上記実施の形態においては、ハウジング２に設けられた第１、２コンタクト端子２０４、２０５を押圧する回動部材４、５をハウジング２に簡単に取り付ける場合について説明している。しかしながら、回動部材の態様としては、このような機能を有するものに限定されるものではなく、ハウジング２に対して回動する部材であれば、任意のものに適用することが可能である。
【００４６】
例えば、回動部材を、カード装着空間に対するカード挿入のための開口部近傍に配置されるシャッタ機構の一部材としても良い。この場合には、カード装着空間への異物等の侵入や、異なるカードの誤挿入を防止するシャッタ機構の一部を構成する回動部材を簡単にハウジング２に取り付けることが可能となる。
【図面の簡単な説明】
【００４７】
【図１】本発明の一実施の形態に係るコネクタの構成を説明するための斜視図である。
【図２】図１に示す状態のコネクタの上面図である。
【図３】上記実施の形態に係るコネクタが有する回動部材の斜視図である。
【図４】上記実施の形態に係るコネクタが有する回動部材に設けられた軸部の構成を説明するための図である。
【図５】上記実施の形態に係るコネクタのハウジングのベース部に設けられた軸受け部の構成を説明するための図である。
【図６】上記実施の形態に係るコネクタのハウジングのベース部に設けられた軸受け部の構成を説明するための図である。
【図７】上記実施の形態に係るコネクタに対して回動部材を取り付ける際の動作を説明するための斜視図である。
【図８】上記実施の形態に係るコネクタに対して回動部材を取り付ける際の動作を説明するための斜視図である。
【図９】上記実施の形態に係るコネクタに対して回動部材を取り付ける際の動作を説明するための斜視図である。
【図１０】上記実施の形態に係るコネクタに対して回動部材を取り付ける際における軸部の周辺の拡大図である。
【図１１】上記実施の形態に係るコネクタに対して回動部材を取り付ける際における軸部の周辺の拡大図である。
【図１２】上記実施の形態に係るコネクタに対して回動部材を取り付ける際における軸部の周辺の拡大図である。
【図１３】上記実施の形態に係るコネクタに対して回動部材を取り付ける際における軸部の周辺の拡大図である。
【符号の説明】
【００４８】
１  カード用コネクタ装置（コネクタ）
２  ハウジング
２０１  ベース部
２０２ａ、ｂ  側壁部
２０３  奥壁部
２０４  第１コンタクト端子
２０５  第２コンタクト端子
２０６、２０７  軸受け部
２０６１  太軸収容部
２０６１ａ、ｂ  突出片
２０６１ｃ、ｄ  円弧形状面
２０６２  細軸収容部
２０６２ａ、ｂ  円弧形状面
２０６２ｃ、ｄ  受け面
２０６２ｅ  開口部
３  カード挿入口
４、５  回動部材
４０１  開口部
４０２  軸部
４０２１  太軸部
４０２１ａ、ｂ  平行面部
４０２１ｃ、ｄ  周面部
４０２２  細軸部
４０２２ａ、ｂ  平行面部
４０２２ｃ、ｄ  周面部
４０３  当接部
【図１】
2009187775.tif 000003
【図２】
2009187775.tif 000004
【図３】
2009187775.tif 000005
【図４】
2009187775.tif 000006
【図５】
2009187775.tif 000007
【図６】
2009187775.tif 000008
【図７】
2009187775.tif 000009
【図８】
2009187775.tif 000010
【図９】
2009187775.tif 000011
【図１０】
2009187775.tif 000012
【図１１】
2009187775.tif 000013
【図１２】
2009187775.tif 000014
【図１３】
2009187775.tif 000015